(57)【要約】【課題】  撮像ユニットの撮影窓を保護するバリアと投影ユニットの投影窓を保護するバリアが共通化された電子機器を提供する。【解決手段】  撮影窓２４を介して被写体を撮像する撮像ユニット２６と、投影窓２８から画像の投影を行う投影ユニット３０と、撮影窓２４及び投影窓２８を保護する保護部材６と、保護部材６を、撮影窓２４及び投影窓２８を同時に保護する位置と、撮影窓２４及び投影窓２８の何れか一方のみを保護する位置とに移動させる移動機構６０，６２，６４とを備える。【選択図】  図６
2009284082.tif 000002
【特許請求の範囲】
【請求項１】
撮影窓を介して被写体を撮像する撮像ユニットと、
投影窓から画像の投影を行う投影ユニットと、
前記撮影窓及び前記投影窓を保護する保護部材と、
前記保護部材を、前記撮影窓及び前記投影窓を同時に保護する位置と、前記撮影窓及び前記投影窓の何れか一方のみを保護する位置とに移動させる移動機構とを備えることを特徴とする電子機器。
【請求項２】
前記撮像ユニットにより前記被写体の撮像を行う撮像モードが選択された場合に、前記移動機構により前記保護部材を前記投影窓のみを保護する位置に移動させることを特徴とする請求項１記載の電子機器。
【請求項３】
前記投影ユニットにより前記画像の投影を行う投影モードが選択された場合に、前記移動機構により前記保護部材を前記撮影窓のみを保護する位置に移動させることを特徴とする請求項１又は２記載の電子機器。
【請求項４】
前記移動機構により前記保護部材を前記投影窓のみを保護する位置に移動させた場合に、前記撮像モードを選択することを特徴とする請求項１記載の電子機器。
【請求項５】
前記移動機構により前記保護部材を前記撮影窓のみを保護する位置に移動させた場合に、前記投影モードを選択することを特徴とする請求項１又は４記載の電子機器。
【発明の詳細な説明】
【技術分野】
【０００１】
本発明は、電子機器に関するものである。
【背景技術】
【０００２】
プロジェクタユニットを備える電子機器としてプロジェクタユニットが内蔵された撮像装置が知られている（例えば、特許文献１参照）。このような撮像装置においては、プロジェクタ機能を用いることにより、撮像画像を多くの人が一度に楽しむことができる。また、小さいスペースにプロジェクタユニット及び撮像ユニットを収納することで、小型で携帯性に優れるものとすることができる。
【特許文献１】特開２００５−２５０３９２号公報
【発明の開示】
【発明が解決しようとする課題】
【０００３】
ところで、プロジェクタユニットを備える撮像装置は、撮像ユニットの撮影窓を保護するバリアと、プロジェクタユニットの投影窓を保護するバリアをそれぞれ筐体内に設ける必要があるため、構造が複雑になり製造コストも上昇する。
【０００４】
本発明の目的は、撮像ユニットの撮影窓を保護するバリアと投影ユニットの投影窓を保護するバリアが共通化された電子機器を提供することである。
【課題を解決するための手段】
【０００５】
本発明の電子機器は、撮影窓を介して被写体を撮像する撮像ユニットと、投影窓から画像の投影を行う投影ユニットと、前記撮影窓及び前記投影窓を保護する保護部材と、前記保護部材を、前記撮影窓及び前記投影窓を同時に保護する位置と、前記撮影窓及び前記投影窓の何れか一方のみを保護する位置とに移動させる移動機構とを備えることを特徴とする。
【発明の効果】
【０００６】
本発明の電子機器によれば、撮像ユニットの撮影窓を保護するバリアとプロジェクタユニットの投影窓を保護するバリアを共通化し、装置本体の構造をより簡易なものとすることができる。従って、製造コストを低下させることができ、装置本体を小型化することができる。
【発明を実施するための最良の形態】
【０００７】
以下、図面を参照して本発明の第１の実施の形態に係る電子機器としてのカメラについて説明する。図１は、この実施の形態に係るカメラにおいて、電源ＯＦＦ状態のときの外観を示す斜視図である。カメラ２は、金属やプラスチック等からなる筐体４を備え、前面には左右両方向にスライドするバリア６によって閉塞される開口８及びフラッシュ光が射出されるフラッシュ窓１０が設けられている。また、カメラ２の上面には、電源スイッチ１２、レリーズ動作を指示するシャッタボタン１４及び被写体の撮像を行う撮像モードと画像の投影を行う投影モードとを切り替えるモード切替スイッチ１６が設けられている。電源ＯＦＦの状態では、図１に示されるように、バリア６は開口８を完全に閉塞し、開口８内に設置されている撮像ユニット２６の撮影窓２４及び投影ユニット３０の投影窓２８（図３参照）を同時に保護する保護部材として機能している。
【０００８】
図２は、この実施の形態に係るカメラの背面の構成を示す図である。カメラ２の背面には、撮影条件、撮像モード等を表示するメニュー画面や撮影画像の表示を行うＬＣＤパネル２０及びＬＣＤパネル２０に表示されるメニュー画面の項目選択に使用する操作部２２が設けられている。
【０００９】
図３は、この実施の形態に係るカメラ内部に収納された各ユニットの配置を示す正面図である。ただし、図３においては、バリア６の図示を省略している。カメラ２の筐体４の内部には、撮影窓２４を介して被写体の撮像を行う撮像ユニット２６、投影窓２８から画像の投影を行うプロジェクタユニット３０、撮像ユニット２６及びプロジェクタユニット３０に電力を供給するバッテリを収容する電池室３２が設けられている。撮影窓２４及び投影窓２８は、筐体４の開口８内に配置されており、開口８及び開口８を閉塞するバリア６を小型化するために近接して配置されている。
【００１０】
図４は、この実施の形態に係るカメラにおいて、被写体の撮像を行っているときのカメラの外観を示す斜視図である。バリア６がカメラ２の前面に向かって左方向（以下、同様に左右はカメラの前面に向かって定義されたものとする。）へスライドしたことにより、開口８の右半分が開放されて、撮像ユニット２６の撮影窓２４が開口８内で露出している。従って、撮像ユニット２６は、露出した撮影窓２４を介して被写体の撮像を行うことができる。なお、開口８の左半分はバリア６によって閉塞されているため、投影ユニット３０の投影窓２８はバリア６によって保護された状態にある。
【００１１】
図５は、この実施の形態に係るカメラにおいて、画像の投影を行っているときのカメラの外観を示す斜視図である。バリア６が右方向へスライドしたことにより、開口８の左半分が開放されて、投影ユニット３０の投影窓２８が開口８内で露出している。従って、投影ユニット３０は、露出した投影窓２８から画像の投影を行うことができる。なお、開口８の右半分はバリア６によって閉塞されているため、撮像ユニット２６の撮影窓２４はバリア６によって保護された状態にある。
【００１２】
図６は、この実施の形態に係るカメラのバリア及びバリアの移動機構の構成を示す模式図である。なお、図６はカメラ２を正面から見たときの図である。図６（ａ）に示されるように、撮影窓２４及び投影窓２８を同時に保護できる程度の大きさを有する矩形状のバリア６の下辺には、水平方向に伸びるラック６０が設けられており、ラック６０は、筐体４内に設置された駆動モータ６２によって回転駆動されるピニオンギア６４と噛合している。ここで、ラック６０、駆動モータ６２及びピニオンギア６４が移動機構を構成しており、駆動モータ６２の回転駆動力によりバリア６を水平方向に往復移動させる。なお、スムーズな往復移動を実現するために、ガイドレール等のガイド手段を適宜設けてもよい。
【００１３】
図６（ｂ）に示されるように、撮像ユニット２６によって被写体の撮像を行うときには、ピニオンギア６４及びラック６０を介して伝達した駆動モータ６２の反時計回りの回転駆動力によって、バリア６が左方向にスライドする。このようにして開口８の右半分が開放されて、撮影窓２４が完全に露出した状態になると、撮像ユニット２６は撮影窓２４を介して被写体の撮像を行うことができる。
【００１４】
一方、図６（ｃ）に示されるように、投影ユニット３０によって画像の投影を行うときには、駆動モータ６２の時計回りの駆動力によってバリア６は右方向にスライドし、開口８の左半分が開放される。このようにして、投影窓２８が完全に露出した状態となると、投影ユニット３０は投影窓２８から画像の投影を行うことができる。
【００１５】
次に、この実施の形態に係るカメラのシステム構成について説明する。図７は、本実施の形態に係るカメラのシステム構成を示すブロック図である。カメラ２が備える主制御部１００には、主制御部１００への電力供給のＯＮ／ＯＦＦを切り替える電源スイッチ１２、レリーズ動作を指示するシャッタボタン１４、撮像モードと投影モードとを切り替えるモード切替スイッチ１６、ＬＣＤパネル２０に表示されるメニュー画面の操作に用いる操作部２２が接続されている。また、主制御部１００には、筐体４内に設けられた移動機構を駆動して、バリア６の移動を制御する移動機構駆動部１１０、プロジェクタユニット３０による画像の投影を制御する投影制御部１２０、撮像ユニット２６の制御を行う撮像制御部１３０、ＬＣＤパネル２０の表示制御を行うＬＣＤ表示制御部１４０が接続されている。
【００１６】
次に、図８のフローチャートを参照して、カメラ２の使用時に実行される処理について説明する。カメラ２の電源スイッチ１２がＯＦＦの状態では、バリア６は、カメラ２の筐体４の開口８を完全に閉塞し、開口８内に設けられた撮影窓２４及び投影窓２８の両方を同時に保護する位置にある（図１及び図６（ａ）参照）。
【００１７】
カメラ２の電源スイッチ１２が押下されて電源ＯＮ状態になると（ステップＳ１０）、主制御部１００は、前回の電源ＯＦＦ時に設定されていたモードに関わらず、常に撮像モードを設定する（ステップＳ１１）。撮像モードが設定されると、主制御部１００は、移動機構駆動部１１０によってバリア６を左方向に移動させて開口８の右半分を開放させ（ステップＳ１２）、開口８内の撮影窓２４を完全に露出させる（図４及び図６（ｂ）参照）。バリア６の移動が完了して撮影窓２４が完全に露出した状態となると、撮影窓２４を介して入射した被写体光が、撮像ユニット２６内の図示しない撮像素子によって撮像信号に変換されることにより、ＬＣＤパネル２０にスルー画像が表示される。この状態でシャッタボタン１４が操作されると（ステップＳ１３）、撮像制御部１３０により被写体の撮影が行われる（ステップＳ１４）。なお、撮像モード設定時に電源スイッチ１２が押下されると（ステップＳ１５）、主制御部１００は、移動機構駆動部１１０によってバリア６を右方向に移動させて開口８を完全に閉塞し（ステップＳ１６）、設定の保存等の必要な処理を行った後に電源ＯＦＦ処理を実行する（ステップＳ１７）。
【００１８】
撮像モード設定時にモード切替スイッチ１６が操作されると（ステップＳ１８）、主制御部１００は投影モードを設定する（ステップＳ１９）。投影モードが設定されると、主制御部１００は、移動機構駆動部１１０によってバリア６を右方向に移動させて開口８の左半分を開放させ（ステップＳ２０）、開口８内の投影窓２８を完全に露出させる（図５及び図６（ｃ）参照）。バリア６の移動が完了して投影窓２８が完全に露出すると、投影ユニット３０により投影窓２８から画像の投影が行われる（ステップＳ２１）。なお、投影モード設定時に電源スイッチ１２が押下されると（ステップＳ２２）、主制御部１００は、移動機構駆動部１１０によってバリア６を左方向に移動させて開口８を完全に閉塞し（ステップＳ２３）、設定の保存等の必要な処理を行った後に電源ＯＦＦ処理を実行する（ステップＳ２４）。
【００１９】
投影モード設定時にモード切替スイッチ１６が操作されると（ステップＳ２５）、主制御部１００は撮像モードを設定する（ステップＳ２６）。撮像モードが設定されると、主制御部１００は、移動機構駆動部１１０によってバリア６を左方向に移動させて開口８の右半分を開放し（ステップＳ２７）、開口８内の撮影窓２４を完全に露出させる。バリア６の移動が完了すると、ＬＣＤパネル２０にスルー画像が表示され、この状態でシャッタボタン１４が操作されると（ステップＳ１３）、被写体の撮影が行われる（ステップＳ１４）。
【００２０】
この第１の実施の形態に係るカメラによれば、撮像ユニットの撮影窓を保護するバリアとプロジェクタユニットの投影窓を保護するバリアを共通化しているため、装置本体の構造を簡易なものとすることができる。従って、製造コストを低下させ、装置本体を小型化することができる。また、被写体の撮像を行う撮像モードを選択すると、プロジェクタユニットの投影窓のみを保護する位置にバリアを移動させ、画像の投影を行う投影モードを選択すると、撮像ユニットの撮影窓のみを保護する位置にバリアを移動させる移動機構を備えているため、カメラの操作を簡便にすることができる。
【００２１】
次に、本発明の第２の実施の形態に係る電子機器としてのカメラについて説明する。なお、第２の実施の形態に係るカメラは、第１の実施の形態のバリアの移動機構とは異なる構成の移動機構を有し、モード切替ボタンを有していない点で、第１の実施の形態に係るカメラとは異なるが、これらの点以外は、第１の実施の形態に係るカメラと同一の構成を備えている。従って、第２の実施の形態の説明においては、第１の実施の形態に係るカメラと同一の構成については説明を省略する。また、この第２の実施の形態に係るカメラの説明においては、第１の実施の形態に係るカメラと同一の構成には第１の実施の形態で用いた符号と同一の符号を付して説明を行なう。
【００２２】
図９は、この実施の形態に係るカメラにおいて、電源ＯＦＦ状態のときの外観を示す斜視図である。カメラ１０２の筐体４の開口８を閉塞するバリア６は、筐体４の上面に設けられた操作開口１０４から突出する切替レバー１０６に接続されている。切替レバー１０６は、バリア６の上面の中央に設置されており、図９に示されるような、バリア６が開口８を完全に閉塞する位置にあるときは、操作開口１０４の中央部に位置している。
【００２３】
図１０は、この実施の形態に係るカメラにおいて、被写体の撮像を行っているときのカメラの外観を示す斜視図である。操作開口１０４内において、切替レバー１０６を左方向へ移動させると、バリア６は左方向にスライドして開口８の右半分が開放され、撮像ユニット２６の撮影窓２４が開口８内で露出する。この状態では、撮像ユニット２６は、露出した撮影窓２４を介して被写体の撮像を行うことができる。なお、投影ユニット３０の投影窓２８はバリア６によって保護されている。
【００２４】
図１１は、この実施の形態に係るカメラにおいて、画像の投影を行っているときのカメラの外観を示す斜視図である。操作開口１０４内において、切替レバー１０６を右方向へ移動させると、バリア６は右方向にスライドして開口８の左半分が開放され、投影ユニット３０の投影窓２８が開口８内で露出する。この状態では、投影ユニット３０は、露出した投影窓２８から画像の投影を行うことができる。なお、撮像ユニット２６の撮影窓２４はバリア６によって保護されている。
【００２５】
図１２は、この実施の形態に係るカメラにおけるバリアの移動機構の構成を示す模式図である。図１２（ａ）に示されるように、バリア６は、バリア６の幅方向の長さの略２倍の長さを有するスライドレール１１０上にスライド自在に設置されており、バリア６の切替レバー１０６の上部が、筐体４に設けられた操作開口１０４（図１２では不図示）から突出している。また、バリア６の底面の中央部には、固定突部１０８が突設されており、スライドレール１１０に設けられた固定凹部１１２ａ，１１２ｂ，１１２ｃと嵌合することで、バリア６をスライドレール１１０に対して固定する。なお、固定突部１０８と固定凹部１１２ａ，１１２ｂ，１１２ｃとの嵌合の強さは、バリア６が不用意にスライドするのを防止する程度であり、切替レバー１０６が操作された場合には容易に解除できる程度の強さである。また、固定突部１０８は、センサや端子等の図示しない検知手段を備えており、固定凹部１１２ａ，１１２ｂ，１１２ｃとの嵌合を検知することができる。また、スライドレール１１０の左右両端にはそれぞれストッパ１１４ａ，１１４ｂが設置されており、バリア６のスライド範囲を制限している。なお、操作開口１０４、切替レバー１０６及びスライドレール１１０がバリア６の移動機構を構成している。
【００２６】
図１２（ｂ）に示されるように、切替レバー１０６が左へ操作されるとバリア６は左方向に移動し、開口８の右半分が開放されて撮影窓２４が露出する。ここで、固定突部１０８は固定凹部１１２ａに嵌合し、バリア６を図１２（ｂ）に示される位置に固定すると共に、固定突部１０８が備える検知手段によって、バリア６が当該位置に位置していることが検出される。このようにして、撮影窓２４が完全に露出すると、撮像ユニット２６は撮影窓２４を介して被写体の撮像を行うことができる。
【００２７】
図１２（ｃ）に示されるように、切替レバー１０６が右へ操作されるとバリア６は右方向に移動し、開口８の左半分が開放されて投影窓２８が露出する。ここで、固定突部１０８は固定凹部１１２ｃに嵌合し、バリア６を図１２（ｃ）に示される位置に固定すると共に、固定突部１０８が備える検知手段によって、バリア６が当該位置に位置していることが検出される。このようにして、投影窓２８が完全に露出すると、投影ユニット３０は投影窓２８から画像の投影を行うことができる。
【００２８】
次に、この実施の形態に係るカメラの操作について説明する。カメラ１０２の電源がＯＦＦ状態では、バリア６は、カメラ１０２の筐体４の開口８を完全に閉塞し、開口８内に設けられた撮影窓２４及び投影窓２８の両方を同時に保護できるようにスライドレール１１０の中央に位置しており、バリア６の固定突部１０８が、スライドレール１１０の固定凹部１１２ｂと嵌合してバリア６を当該位置に固定している（図９及び図１２（ａ）参照）。なお、カメラ１０２の電源がＯＦＦ状態のときには、図示しない固定部材によって固体突部１０８と固定凹部１１２ｂとの嵌合が固定されており、バリア６が不用意にスライドするのを防止している。
【００２９】
この状態において、カメラ１０２の電源スイッチ１２が押下されて電源ＯＮ状態になると、固定突部１０８に設けられた検知手段によって、固定突部１０８が固定凹部１１２ｂと嵌合していることが検知される。従って、バリア６によって開口８が完全に閉塞されている状態であると判断されて、投影モード及び撮像モードの何れのモードも選択されず待機モードが設定される。待機モード設定時には、カメラ１０２の背面のＬＣＤパネル２０に、例えば「切替レバー１０６を操作してモード設定をして下さい。」といったメッセージを表示させて、使用者に、モード選択をするように指示してもよい。なお、固体突部１０８と固定凹部１１２ｂとの嵌合の固定は、電源がＯＮ状態になった際に解除される。
【００３０】
被写体の撮像を行う場合には、使用者は、カメラ１０２の上面の操作開口１０４から突出しているバリア６の切替レバー１０６を左に移動させる。切替レバー１０６が操作されると、バリア６の固定突部１０８とスライドレール１１０の固定凹部１１２ｂとの嵌合が解除されて、固定突部１０８が固定凹部１１２ａに嵌合するまで、バリア６はスライドレール１１０上を左方向にスライドする。固定突部１０８が固定凹部１１２ａに嵌合すると、開口８の右半分が開放されて撮影窓２４が露出する。なお、スライドレール１１０の左端にはストッパ１１４ａが設けられているため、バリア６が更に左にスライドすることはない。ここで、固定突部１０８に設けられた検知手段によって、固定突部１０８が固定凹部１１２ａと嵌合していることが検知されると、撮影窓２４が完全に露出していると判断されて撮像モードが設定される。撮像モード設定時には、ＬＣＤパネル２０にスルー画像が表示され、この状態でシャッタボタン１４が押下されると、撮像ユニット２６によって被写体の撮影が行われる。
【００３１】
画像の投影を行う場合には、使用者は、バリア６の切替レバー１０６を右に移動させて、バリア６の固定突部１０８が固定凹部１１２ｃに嵌合するまで、即ち、開口８内の投影窓２８が完全に露出する位置までバリア６を右方向にスライドさせる。なお、スライドレール１１０の右端にはストッパ１１４ｂが設けられているため、バリア６が更に右にスライドすることはない。固定突部１０８に設けられた検知手段によって、固定突部１０８が固定凹部１１２ｃと嵌合していることが検知されると、投影窓２８が完全に露出していると判断されて投影モードが設定される。投影モード設定時には、カメラ１０２の背面の操作部２２を操作して、所望の画像を投影ユニット３０によって投影する。
【００３２】
カメラの使用を終了する場合には、使用者は、切替レバー１０６を操作開口１０４の中央に移動させて、固定突部１０８が固定凹部１１２ｂに嵌合する位置まで、即ち、バリア６によって開口８を完全に閉塞し、開口８内の撮影窓２４及び投影窓２８が共に保護される位置までバリア６を移動させる。このとき、固定突部１０８に設けられた検知手段によって、固定突部１０８が固定凹部１１２ｂと嵌合していることが検知されると、開口８が完全に閉塞されたと判断されて、再び待機モードが設定される。待機モード設定時に電源スイッチ１２を押下すると、電源ＯＦＦ処理が実行され、不図示の固定部材によって固定突部１０８と固定凹部１１２ｂとの嵌合が固定される。なお、撮像モードまたは投影モード設定時に電源スイッチ１２が押下されて電源ＯＦＦ処理が行われた場合には、電源ＯＦＦ後に切替レバー１０６を操作して開口８を閉塞すると、不図示の固定部材によって固定突部１０８と固定凹部１１２ｂとの嵌合が固定される。
【００３３】
この第２の実施の形態に係るカメラによれば、撮像ユニットの撮影窓を保護するバリアとプロジェクタユニットの投影窓を保護するバリアを共通化しているため、装置本体の構造を簡易なものとすることができる。従って、製造コストを低下させ、装置本体を小型化することができる。また、プロジェクタユニットの投影窓のみを保護する位置にバリアを移動させると被写体の撮像を行う撮像モードが選択され、撮像ユニットの撮影窓のみを保護する位置にバリアを移動させると画像の投影を行う投影モードが選択される移動機構を備えているため、カメラの操作を簡便にすることができる。
【００３４】
次に、本発明の第３の実施の形態に係る電子機器としてのカメラについて説明する。なお、第３の実施の形態に係るカメラは、第１の実施の形態のカメラとは異なる構成のバリア及びバリアの移動機構を有し、筐体の前面に２つの開口を有する点で、第１の実施の形態に係るカメラとは異なるが、これらの点以外は、第１の実施の形態に係るカメラと同一の構成を備えている。従って、第３の実施の形態の説明においては、第１の実施の形態に係るカメラと同一の構成については説明を省略する。また、この第３の実施の形態に係るカメラの説明においては、第１の実施の形態に係るカメラと同一の構成には第１の実施の形態で用いた符号と同一の符号を付して説明を行なう。
【００３５】
図１３は、この実施の形態に係るカメラにおいて、電源ＯＦＦ状態のときの外観を示す斜視図である。カメラ２０２の筐体４の前面には、第１開口２０８及び第２開口２１０が設けられており、両開口は、共にバリア２０６（図１４参照）によって完全に閉塞されている。なお、第１開口２０８及び第２開口２１０内部には、それぞれ撮像ユニット２６の撮影窓２４及び投影ユニット３０の投影窓２８（図１４参照）が設けられており、被写体の撮像を行うときには第１開口２０８が開放され、画像の投影を行うときには第２開口２１０が開放される。
【００３６】
図１４は、この実施の形態に係るカメラにおけるバリア及びバリアの移動機構の構成を示す模式図である。なお、図１４はカメラ２０２を正面から見たときの図である。図１４（ａ）に示されるような、バリア２０６が、第１開口２０８及び第２開口２１０を同時に閉塞している状態では、バリア２０６の第１翼片２１６が第１開口２０８を閉塞し、バリア２０６の第２翼片２２６が第２開口２１０を閉塞している。なお、バリア２０６の上部には、略直角三角形状の中央翼片２３６が形成されており、また、バリア２０６の下部には、駆動モータ２６２によって回転駆動される回転軸２６４が嵌通されている。従って、バリア２０６は、駆動モータ２６２の回転駆動力により、鉛直面内（図１４における紙面に平行な面内）において回転軸２６４を中心とした回転を行う。なお、駆動モータ２６２及び回転軸２６４がバリア２０６の移動機構を構成している。
【００３７】
図１４（ｂ）に示されるように、撮像ユニット２６によって被写体の撮像を行うときには、バリア２０６は、駆動モータ２６２の回転駆動力によって回転軸２６４を中心として反時計回りに回転し、第１開口２０８が開放され、第２開口２１０がバリア２０６の中央翼片２３６によって閉塞される。第１開口２０８が開放されて撮影窓２４が完全に露出した状態になると、撮像ユニット２６は撮影窓２４を介して被写体の撮像を行うことができる。
【００３８】
一方、図１４（ｃ）に示されるように、投影ユニット３０によって画像の投影を行うときには、バリア２０６は、駆動モータ２６２の回転駆動力によって回転軸２６４を中心として時計回りに回転し、第２開口２１０が開放され、第１開口２０８が中央翼片２３６によって閉塞される。第２開口２１０が開放されて投影窓２８が完全に露出した状態となると、投影ユニット３０は投影窓２８から画像の投影を行うことができる。
【００３９】
この第３の実施の形態に係るカメラの使用時に実行される処理は、バリアの移動機構によるバリアの移動方法が異なる点以外は、上述の第１の実施の形態に係るカメラの使用時に実行される処理（図８参照）と実質的に同一である。即ち、カメラ２０２の電源スイッチ１２がＯＦＦの状態では、バリア２０６は、筐体４の第１開口２０８及び第２開口２１０を完全に閉塞し、第１開口２０８内の撮影窓２４及び第２開口２１０内の投影窓２８の両方を同時に保護している。電源スイッチ１２が押下されて電源ＯＮ状態になると、前回の電源ＯＦＦ時に設定されていたモードに関わらず、常に撮像モードが設定される。撮像モードが設定されると、駆動モータ２６２によってバリア２０６が反時計回りに約４５度回転し、第１開口２０８内の撮影窓２４のみが完全に露出する。このようにして撮影窓２４が完全に露出すると、ＬＣＤパネル２０にスルー画像が表示され、この状態でシャッタボタン１４が操作されると被写体の撮影が行われる。なお、撮像モード設定時に電源スイッチ１２が押下されると、移動モータ２６２によってバリア２０６が時計回りに回転し、第１開口２０８を完全に閉塞した後に電源ＯＦＦ処理が実行される。
【００４０】
撮像モード設定時にモード切替スイッチ１６が操作されると投影モードが設定され、駆動モータ２６２が、バリア２０６を時計回りに９０度回転し、第２開口２１０内の投影窓２８のみを完全に露出させる。このようにして投影窓２８が完全に露出すると、投影ユニット３０により投影窓２８から画像の投影が行われる。なお、投影モード設定時に電源スイッチ１２が押下されると駆動モータ２６２によってバリア２０６が反時計回りに４５度回転し、第２開口２１０を完全に閉塞した後に電源ＯＦＦ処理が実行される。
【００４１】
この第３の実施の形態に係るカメラによれば、撮像ユニットの撮影窓を保護するバリアとプロジェクタユニットの投影窓を保護するバリアを共通化しているため、装置本体の構造を簡易なものとすることができる。従って、製造コストを低下させ、装置本体を小型化することができる。また、被写体の撮像を行う撮像モードを選択すると、プロジェクタユニットの投影窓のみを保護する位置にバリアを移動させ、画像の投影を行う投影モードを選択すると、撮像ユニットの撮影窓のみを保護する位置にバリアを移動させる移動機構を備えているため、カメラの操作を簡便にすることができる。
【００４２】
なお、この第３の実施の形態に係るカメラのバリアの移動機構として、駆動モータ２６２の替わりに、例えば回転軸２６４を手動で回転させる機構を設けてもよい。この場合には、例えば回転軸２６４の回転角を検知できる検知手段を設けて、バリア２０６の回転状態を判断できるように構成し、第１開口２０８のみが閉塞されている場合には、投影モードが設定され、第２開口２１０のみが閉塞されている場合には、撮像モードが設定されるように構成してもよい。このような構成を有するカメラの操作は、上述の第２の実施の形態に係るカメラの操作と実質的に同一であるので説明は省略する。
【００４３】
なお、本発明の第３の実施の形態に係る電子機器としてのカメラが有するバリア及びバリアの移動機構としては、図１５に示されるようなものでもよい。
【００４４】
図１５は、本発明の第３の実施の形態に係る電子機器としてのカメラが有する他のバリア及びバリアの移動機構の構成を示す模式図である。なお、図１５はこの実施の形態に係るカメラを正面から見たときの図である。円形に形成されたバリア３０６は、半径方向に長辺を有する長方形状のバリア窓３０８及びバリア３０６の中心に設けられた回転軸３１０を有している。図１５（ａ）に示されるような回転位置にバリア３０６が位置している状態では、バリア３０６のバリア窓３０８以外の部分が第１開口２０８及び第２開口２１０を閉塞している。なお、バリア３０６は、図示しない駆動モータ等の回転駆動力が回転軸３１０を介して伝達することにより回転する。
【００４５】
図１５（ｂ）に示されるように、撮像ユニット２６によって被写体の撮像を行うときには、バリア３０６は、バリア窓３０８によって第１開口２０８が開放される位置まで回転軸３１０を中心として時計回りに回転する。このとき、第２開口２１０は、バリア３０６のバリア窓３０８以外の部分によって閉塞されているので、撮影窓２４のみが露出した状態となる。
【００４６】
一方、図１５（ｃ）に示されるように、投影ユニット３０によって画像の投影を行うときには、バリア３０６は、バリア窓３０８によって第２開口２１０が開放される位置まで回転軸３１０を中心として反時計回りに回転する。このとき、第１開口２０８は、バリア３０６のバリア窓３０８以外の部分によって閉塞されているので、投影窓２８のみが露出した状態となる。
【００４７】
この実施の形態に係るバリア及びバリアの移動機構を有するカメラのモード選択に係る処理は、上述の第３の実施の形態に係るカメラにおけるモード選択に係る処理と実質的に同一である。即ち、モード選択スイッチ１６の操作に基づいて撮像モードが選択された場合には、バリア３０６が撮影窓２４のみが露出する位置まで回転するので被写体の撮像を行うことができ、投影モードが選択された場合には、バリア３０６が投影窓２８のみが露出する位置まで回転するので画像の投影を行うことができる。
【００４８】
なお、この実施の形態に係るバリアの移動機構として、例えば回転軸３１０を手動で回転させる機構を設けてもよい。この場合には、例えば回転軸３１０の回転角を検知できる検知手段を設けて、バリア３０６の回転状態を判断できるように構成し、第１開口２０８のみが閉塞されている場合には、投影モードが設定され、第２開口２１０のみが閉塞されている場合には、撮像モードが設定されるように構成してもよい。このような構成を有するカメラの操作は、上述の第２の実施の形態係るカメラの操作と実質的に同一であるので説明は省略する。
【００４９】
また、本発明の第３の実施の形態に係る電子機器としてのカメラが有するバリア及びバリアの移動機構としては、図１６に示されるようなものでもよい。
【００５０】
図１６は、本発明の第３の実施の形態に係る電子機器としてのカメラが有する他のバリア及びバリアの移動機構の構成を示す模式図である。なお、図１６はこの実施の形態に係るカメラを正面から見たときの図である。図１６（ａ）に示されるように、筐体４の前面には、第１開口２０８及び第２開口２１０を同時に閉塞できる程度の大きさを有するスライドカバー４０６が設けられている。なお、スライドカバー４０６は、既存のカメラに採用されているスライドレールと同様のスライドレール（不図示）上に設置されており、筐体４の幅方向にスライド自在、かつ、図１６（ａ）〜（ｃ）に示される３つの位置において固定可能に設置されている。
【００５１】
図１６（ｂ）に示されるように、撮像ユニット２６によって被写体の撮像を行うときには、スライドカバー４０６は左にスライドして第１開口２０８を開放する。第１開口２０８が開放されると、撮影窓２４が完全に露出した状態となり、撮像ユニット２６は撮影窓２４を介して被写体の撮像を行うことができる。
【００５２】
一方、図１６（ｃ）に示されるように、投影ユニット３０によって画像の投影を行うときには、スライドカバー４０６は、右にスライドして第２開口２１０を開放する。第２開口２１０が開放されると、投影窓２８が完全に露出した状態となり、投影ユニット３０は投影窓２８から画像の投影を行うことができる。
【００５３】
なお、この実施の形態に係るカメラでは、スライドカバー４０６をスライド移動させる移動機構を設けてもよい。この場合には、上述の第３の実施の形態に係るカメラのモード選択の処理と同様に、モード選択スイッチ１６の操作に基づいて撮像モードが選択された場合には、スライドカバー４０６が撮影窓２４のみが露出する位置まで移動して被写体の撮像を行うことができ、投影モードが選択された場合には、スライドカバー４０６が投影窓２８のみが露出する位置まで移動して画像の投影を行うことができるようにするのが好ましい。
【００５４】
また、スライドカバー４０６を手動で移動させる構成としてもよい。この場合には、例えばスライドカバー４０６の位置を検知できる検知手段を設けて、第１開口２０８のみが閉塞されている場合には、投影モードが設定され、第２開口２１０のみが閉塞されている場合には、撮像モードが設定されるように構成するのが好ましい。
【００５５】
上述した実施の形態では、モータによって駆動されるピニオンギアとラックからなるバリアの移動機構を採用しているが、例えばスプリング等からなる移動機構を採用してもよい。また、上述した実施の形態では、撮像装置としてカメラを例にしているが、例えばカメラ機能付き携帯電話等の他の電子機器や撮像装置であってもよい。
【図面の簡単な説明】
【００５６】
【図１】第１の実施の形態に係るカメラの電源ＯＦＦ状態のときの外観を示す斜視図である。
【図２】第１の実施の形態に係るカメラの背面の構成を示す図である。
【図３】第１の実施の形態に係るカメラの内部に収納された各ユニットの配置を示す正面図である。
【図４】第１の実施の形態に係るカメラにおいて、被写体の撮像を行っているときのカメラの外観を示す斜視図である。
【図５】第１の実施の形態に係るカメラにおいて、画像の投影を行っているときのカメラの外観を示す斜視図である。
【図６】第１の実施の形態に係るバリア及びバリアの移動機構の構成を示す模式図である。
【図７】第１の実施の形態に係るカメラのシステム構成を示すブロック図である。
【図８】第１の実施の形態に係るカメラの使用時に実行される処理を示すフローチャートである。
【図９】第２の実施の形態に係るカメラの電源ＯＦＦ状態のときの外観を示す斜視図である。
【図１０】第２の実施の形態に係るカメラにおいて、被写体の撮像を行っているときのカメラの外観を示す斜視図である。
【図１１】第２の実施の形態に係るカメラにおいて、画像の投影を行っているときのカメラの外観を示す斜視図である。
【図１２】第２の実施の形態に係るバリア及びバリアの移動機構の構成を示す模式図である。
【図１３】第３の実施の形態に係るカメラの電源ＯＦＦ状態のときの外観を示す斜視図である。
【図１４】第３の実施の形態に係るバリア及びバリアの移動機構の構成を示す模式図である。
【図１５】第３の実施の形態に係る他のバリア及びバリアの移動機構の構成を示す模式図である。
【図１６】第３の実施の形態に係る他のバリア及びバリアの移動機構の構成を示す模式図である。
【符号の説明】
【００５７】
２，１０２，２０２…カメラ、４…筐体、６，２０６，３０６…バリア、８…開口、１６…モード切替スイッチ、２４…撮影窓、２６…撮像ユニット、２８…投影窓、３０…プロジェクタユニット、６０…ラック、６２…駆動モータ、６４…ピニオンギア、１００…主制御部、１０４…操作開口、１０６…切替レバー、１０８…固定突部、１１０…スライドレール、１１２ａ，１１２ｂ，１１２ｃ…固定凹部、２０８…第１開口、２１０…第２開口、４０６…スライドカバー
【図１】
2009284082.tif 000003
【図２】
2009284082.tif 000004
【図３】
2009284082.tif 000005
【図４】
2009284082.tif 000006
【図５】
2009284082.tif 000007
【図６】
2009284082.tif 000008
【図７】
2009284082.tif 000009
【図８】
2009284082.tif 000010
【図９】
2009284082.tif 000011
【図１０】
2009284082.tif 000012
【図１１】
2009284082.tif 000013
【図１２】
2009284082.tif 000014
【図１３】
2009284082.tif 000015
【図１４】
2009284082.tif 000016
【図１５】
2009284082.tif 000017
【図１６】
2009284082.tif 000018